(57)【要約】【課題】従来よりも器具本体の構造を簡素化し、かつ、使用時における暖房の効率性を向上させて石油又はガスなどの燃料消費を節約し且つ節電効果を高める。【解決手段】ファンヒーターの送風口から放出される温風をこたつ内に引き込むための温風引き込み器具において、ファンヒーターの送風口の近傍に配置される温風集送部１０と、温風集送部１０に連通接続され且つこたつの閉鎖空間に向けて配置されるダクト２０とを備え、温風集送部１０は直方体の金属製缶である所謂一斗缶からなり、温風集送部１０のファンヒーターの送風口側に温風を送り込むための開口部１３を形成し、ダクト２０は円筒形の金属製導管からなり、温風集送部１０の開口部１３と対向する壁面下部にダクト２０の一端部を接続するための連通孔１１を設けた。【選択図】図１
0003171243.tif 000002
【実用新案登録請求の範囲】
【請求項１】
ファンヒーターの送風口から放出される温風をこたつ内に引き込むための温風引き込み器具において、前記ファンヒーターの送風口の近傍に配置される温風集送部と、前記温風集送部に連通接続され且つ前記こたつの閉鎖空間に向けて配置されるダクトとを備え、前記温風集送部は直方体の金属製缶である所謂一斗缶からなり、前記温風集送部の前記ファンヒーターの送風口側に温風を送り込むための開口部を形成し、前記ダクトは円筒形の金属製導管からなり、前記温風集送部の前記開口部と対向する壁面下部に前記ダクトの一端部を接続するための連通孔を設けたことを特徴とする温風引き込み器具。
【請求項２】
請求項１に記載の温風引き込み器具において、前記ダクトは前側部材と後側部材の２つの部材からなり、前記各部材は着脱自在に係合できるように形成されており、本器具を使用しない際は、前記温風集送部の内部に前記各部材を２つに分割した状態で収納可能としたことを特徴とする温風引き込み器具。
【考案の詳細な説明】
【技術分野】
【０００１】
本考案は、器具本体の構造を簡素化し、暖房の効率性を向上させて石油又はガスなどの燃料消費を節約すると共に節電効果を高めることを目的とする温風引き込み器具に関するものである。
【背景技術】
【０００２】
従来、石油又はガスなどのファンヒーターの送風口から放出される温風をこたつ内に引き込むための温風引き込み器具について、以下に示すような考案が提案されている。
【０００３】
実用新案登録第３０８４６９７号公報（特許文献１）には、ファンヒータ等から室内に吹出す温風の一部をコタツ等の閉鎖空間に送り込むことで足を素早く暖める事ができさらに熱量を無駄にすることなく効率良く室内を暖房できることを目的とし、中空筒と内部を連通させながら中空筒にその一端側が接続され加温空気供給装置から吹出される加温空気を外部開放空間から導入させるように他端延長側の開口を加温空気供給装置の吹出口近傍に配置させる曲げ伸ばし自在なフレキシブルダクトとを備え、中空筒及びフレキシブルダクトの内部流路に案内させて加温空気供給装置から取りこんだ加温空気を簡易足温装置の閉鎖空間内に送りこむことを特徴とする「温風の送り込み装置」が提案されている。
【０００４】
実用新案登録第３０３１９４７号公報（特許文献２）には、やぐらとふとんとファンヒータを所有している家庭が使用してコタツを得るために用いる新規のコタツ用温風取入具を提供することを目的とし、やぐらにふとんをかけたコタツ本体の中に挿入するための内端開口部と、ファンヒータの温風吹出口に向けて使用するための外端開口部とを備えた筒形状体から成ることを特徴とする「コタツ用温風取入具」が提案されている。
【０００５】
特開平８−６１７８３号公報（特許文献３）には、コタツ等の局所（小空間）の暖房に消費されていた電気代等の暖房費を確実に節約できることを目的とし、ファンヒーター前面の送風口の一部に、この送風口から放出される温風を集送する温風集送用のフードを、適宜固定手段を介して着脱自在に固定し、このフードの先端にファンヒーターの温風をコタツ等に送り込む送風ホースを取付けたことを特徴とすることを特徴とする「ファンヒーター温風集送機」が提案されている。
【０００６】
特開２０１０−１５９９４１号公報（特許文献４）には、市販温風ファンヒーターの温風を有効に利用し、且つこたつ内に不要な突起部を最小にし内部空間を広くした上、こたつ内全体の温度を、風量調整レバーにより快適に維持することが可能とすることを目的とし、市販温風ヒーターの温風を、自在パイプ（フレキシブルダクト等）にて誘導し熱源としたことを特徴とする「温風ファンヒーターこたつ」が提案されている。
【先行技術文献】
【特許文献】
【０００７】
【特許文献１】実用新案登録第３０８４６９７号公報
【特許文献２】実用新案登録第３０３１９４７号公報
【特許文献３】特開平８−６１７８３号公報
【特許文献４】特開２０１０−１５９９４１号公報
【考案の概要】
【考案が解決しようとする課題】
【０００８】
しかし、従来例にかかる温風引き込み器具は、器具本体の構造が特殊な構造を採用しているため、一般的に製造するのが困難であるという問題を有しているばかりでなく、使用時において更なる暖房の効率性の向上を図ることを検討する必要があるものと考えられる。
そこで、本考案は、石油又はガスなどのファンヒーターの送風口から放出される温風をこたつ内に引き込むための温風引き込み器具について、従来よりも器具本体の構造を簡素化し、かつ、使用時における暖房の効率性を向上させて石油又はガスなどの燃料消費を節約すると共に節電効果を高めることを特徴とする温風引き込み器具を提供することを目的とする。
【課題を解決するための手段】
【０００９】
上記の課題を解決するために、請求項１に記載の考案は、ファンヒーターの送風口から放出される温風をこたつ内に引き込むための温風引き込み器具において、前記ファンヒーターの送風口の近傍に配置される温風集送部と、前記温風集送部に連通接続され且つ前記こたつの閉鎖空間に向けて配置されるダクトとを備え、前記温風集送部は直方体の金属製缶である所謂一斗缶からなり、前記温風集送部の前記ファンヒーターの送風口側に温風を送り込むための開口部を形成し、前記ダクトは円筒形の金属製導管からなり、前記温風集送部の前記開口部と対向する壁面下部に前記ダクトの一端部を接続するための連通孔を設けたことを特徴とする。
【００１０】
また、請求項２に記載の考案は、請求項１に記載の温風引き込み器具において、前記ダクトは前側部材と後側部材の２つの部材からなり、前記各部材は着脱自在に係合できるように形成されており、本器具を使用しない際は、前記温風集送部の内部に前記各部材を２つに分割した状態で収納可能としたことを特徴とする。
【考案の効果】
【００１１】
以上のように、本考案によれば、温風集送部は直方体の金属製缶である所謂一斗缶からなり、一方ダクトは円筒形の金属製導管からなり、温風集送部の開口部と対向する壁面下部にダクトの一端部を接続するための連通孔が設けられ、ダクトが温風集送部に連通接続される構成を採用したので、器具本体の構造を簡素化することができる。また、温風集送部のファンヒーターの送風口側に温風を送り込むための開口部が形成され、ファンヒーターの送風口にピッタリと近接した状態で配置することにより、暖房の効率性を向上させてこたつの狭小空間を少量の燃料で素早く暖めることができ且つ節電効果を高めることができる。また、ダクトについては、２つの部材が着脱自在に係合できるように形成されることにより、本器具を使用しない際は、温風集送部の内部に各部材を２つに分割した状態で収納可能としたので、冬場以外での保管場所の問題を解消できる。
【図面の簡単な説明】
【００１２】
【図１】（Ａ）は本考案にかかる温風引き込み器具の第１実施例を示す正面図、（Ｂ）はその右側面図、（Ｃ）はその平面図である。
【図２】図１に示す温風引き込み器具の斜視図である。
【図３】図１に示す温風引き込み器具の使用状態を示す説明図である。
【図４】（Ａ）は本考案にかかる温風引き込み器具の第２実施例を示す正面図、（Ｂ）はその右側面図、（Ｃ）はその平面図である。
【図５】図４に示す温風引き込み器具の分解斜視図である。
【図６】（Ａ）は図４に示す温風引き込み器具のダクトを分割して温風集送部の内部に収納した状態を示す説明図、（Ｂ）は（Ａ）におけるＸ−Ｘ部の矢印方向断面図である。
【図７】図４に示す温風引き込み器具の使用状態の一例を示す説明図である。
【図８】図４に示す温風引き込み器具の使用状態の他例を示す説明図である。
【考案を実施するための形態】
【００１３】
以下、本考案の実施の形態について図面を参酌しながら説明する。なお、本考案にかかる温風引き込み器具の形状又は構造は、以下の実施例に限定されるものではなく、使用状況によって適宜変更することができる。
【００１４】
（第１実施例）
図１は本考案にかかる温風引き込み器具の第１実施例を示す（Ａ）正面図・（Ｂ）右側面図・（Ｃ）平面図、図２は図１に示す温風引き込み器具の斜視図である。
温風引き込み器具は、ファンヒーターの送風口の近傍に配置される温風集送部１０と、温風集送部１０に連通接続され且つこたつの閉鎖空間に向けて配置されるダクト２０とを備えている。温風集送部１０は、図１及び図２に示すように、直方体の金属製缶である所謂一斗缶（１８リットル缶）からなり、温風集送部１０のファンヒーターの送風口側に温風を送り込むための開口部１３が形成されている（開口部１３の寸法例／縦３５ｃｍ、横２０ｃｍ）。
ダクト２０は、円筒形の金属製導管（寸法例／長さ６０ｃｍ、直径１２ｃｍ）からなり、温風集送部１０の開口部１３と対向する壁面下部にダクト２０一端部を嵌め込んで接続するための連通孔１１が設けられている。
以上のように、温風引き込み器具の温風集送部１０に一斗缶を利用することにより、器具本体の構造を簡素化することができる。また、温風集送部１０のファンヒーターの送風口側に温風を送り込むための開口部１３が形成されているので、ファンヒーターの送風口にピッタリと近接した状態で配置することができる。このため、ファンヒーターから吹き出す温風がこたつの内部に効率よく吹き込み、暖房の効率性を高めることが可能になる。
【００１５】
図３は図１に示す温風引き込み器具の使用状態を示す説明図である。
図３に示すように、ファンヒーター５０の送風口５１から吹き出された温風は、温風集送部１０の開口部１３から導入される。この温風は、ダクト２０を通過して送り込まれ、ダクト２０の開口からこたつ６０の閉鎖空間内に吹き出される。このように、ファンヒーター５０から吹き出される温風を効率よくこたつ６０に送り込むことができ、少量の燃料でこたつ６０内を素早く暖めることが可能になる。また、こたつ６０の消費電力が不要となり節電効果も得られる。
【００１６】
（第２実施例）
図４は本考案にかかる温風引き込み器具の第２実施例を示す（Ａ）正面図・（Ｂ）右側面図・（Ｃ）平面図、図５は図４に示す温風引き込み器具の分解斜視図である。
温風引き込み器具は、ファンヒーターの送風口の近傍に配置される温風集送部３０と、温風集送部３０に連通接続され且つこたつの閉鎖空間に向けて配置されるダクト４０とを備えている。温風集送部３０は、上述した第１実施例と同様に、直方体の金属製缶である所謂一斗缶（１８リットル缶）からなり、温風集送部３０のファンヒーターの送風口側に温風を送り込むための開口部３３が形成されている（開口部３３の寸法例／縦３５ｃｍ、横２０ｃｍ）。
ダクト４０は、図４及び図５に示すように、前側部材４１と後側部材４２の２つの部材（各部材の寸法例／長さ３０ｃｍ、直径１２ｃｍ）の端部を嵌め込んで連結させた円筒形の金属製導管からなる。前側部材４１と後側部材４２の各部材は、着脱自在に係合できるように形成される。温風集送部３０の開口部３３と対向する壁面下部にダクト４０の後側部材４２の一端部を嵌め込んで接続するための連通孔３１が設けられている。
以上のように、温風引き込み器具の温風集送部３０に一斗缶を利用することにより、上述した第１実施例と同様に、器具本体の構造を簡素化することができる。また、温風集送部３０のファンヒーターの送風口側に温風を送り込むための開口部３３が形成されているので、ファンヒーターの送風口にピッタリと近接した状態で配置することができる。このため、ファンヒーターから吹き出す温風がこたつの内部に効率よく吹き込み、暖房の効率性を高めることが可能になる。さらに、ダクト４０については、２つの部材が着脱自在に係合できるように形成され、本器具を使用しない際は、温風集送部３０の内部に各部材４１，４２を２つに分割した状態で収納可能としたので（図６参照）、冬場以外での保管場所の問題を解消できる。
【００１７】
図７は図４に示す温風引き込み器具の使用状態の一例を示す説明図である。  図７に示すように、ファンヒーター５０の送風口５１から吹き出された温風は、温風集送部２０の開口部２３から導入される。この温風は、ダクト４０を通過して送り込まれ、ダクト４０の開口からこたつ６０の閉鎖空間内に吹き出される。このように、ファンヒーター５０から吹き出される温風を効率よくこたつ６０に送り込むことができ、少量の燃料でこたつ６０内を素早く暖めることが可能になる。また、こたつ６０の消費電力が不要となり節電効果も得られる。
【００１８】
図８は図４に示す温風引き込み器具の使用状態の他例を示す説明図である。
図８に示すように、温風引き込み器具の温風集送部３０の連通孔３１に後側部材４２のみを接続し、ファンヒーター５０から２０〜３０ｃｍの距離をおいて配置して使用することも考えられる。この場合、ファンヒーター５０から吹き出される温風がこたつ６０の閉鎖空間内に吹き出されてこたつ６０内を暖めると共に、部屋全体を暖めることが可能になる。
【符号の説明】
【００１９】
１０  温風集送部
１１  連通孔
１２  壁面縁部
１３  開口部
２０  ダクト
３０  温風集送部
３１  連通孔
３２  壁面縁部
３３  開口部
４０  ダクト
４１  前側部材
４２  後側部材
４３  連結部
５０  ファンヒーター
５１  送風口
６０  こたつ
【図１】
0003171243.tif 000003
【図２】
0003171243.tif 000004
【図３】
0003171243.tif 000005
【図４】
0003171243.tif 000006
【図５】
0003171243.tif 000007
【図６】
0003171243.tif 000008
【図７】
0003171243.tif 000009
【図８】
0003171243.tif 000010